(57)【要約】【課題】遊技者側にとって魅力あるシステム形態を展開することにより、遊技に対する興趣の向上及びこれに伴う集客率向上を図ること。【解決手段】パチンコ遊技機１は、スタート入賞口への入賞毎に抽選動作を行うと共に、その抽選結果を表示装置に表示する。この抽選時にリーチ状態となったときには、種々の演出を含む複数パターンのリーチアクション画像のうちの何れかを選択して表示装置１０に表示する。パチンコ遊技機１と１対１で対応して設置され台間玉貸機２は、表示されたリーチアクション画像を画像データとして記憶保存する記憶装置と、その画像データを再表示する表示パネル１１とを備えており、記憶装置に記憶されたリーチアクション画像データを他の台間玉貸機２へ送信可能な構成となっている。この画像データを受けた台間玉貸機２は、当該画像データを表示パネル１１に表示する。【選択図】  図１
2004236798.tif 000002
【特許請求の範囲】
【請求項１】
予め設定された始動条件が遊技中に成立する毎に種々の演出を含む複数パターンの演出画像のうちの何れかを選択して表示する表示装置を備えた遊技機と、
前記表示装置で表示された演出画像を画像データとして記憶保存する記憶手段と、
前記遊技機と１対１で対応して設置され前記記憶手段に記憶された画像データによる演出画像を表示可能な表示手段を備えた端末装置とを含んで成り、
前記端末装置は、前記記憶手段に記憶された画像データを他の端末装置へ送信可能に構成されていることを特徴とする遊技場システム。
【請求項２】
前記遊技機は、所定の抽選条件の成立により抽選動作を行うと共に、その抽選結果が大当たりであったときに遊技者側に有利な特定遊技状態を呈する構成のものであり、
当該遊技機における前記始動条件として前記抽選動作の結果が前記大当たりである可能性が高いことを示すリーチ状態の発生が設定されると共に、このリーチ状態が発生したときの演出画像として多種類のリーチアクション画像が用意されていることを特徴とする請求項１記載の遊技場システム。
【請求項３】
請求項２記載の遊技場システムにおいて、
前記端末装置は、対応する遊技機において前記リーチ状態から大当たりが発生したときに、そのリーチ状態の発生に伴い前記記憶手段に記憶されたリーチアクション画像データを前記表示手段で自動的に再生する構成を備えていることを特徴とする遊技場システム。
【請求項４】
請求項３記載の遊技場システムにおいて、
前記端末装置は、前記リーチアクション画像データの自動再生時において、当該リーチアクション画像データを、予め指定しておいた他の遊技機に対応した端末装置へ自動的に送信して当該端末装置の表示手段で再生させる構成を備えていることを特徴とする遊技場システム。
【請求項５】
前記端末装置は、予め指定しておいた他の遊技機の表示装置で表示されている演出画像をリアルタイムで取り込んで前記表示手段に表示する構成を備えていることを特徴とする請求項１ないし４の何れかに記載の遊技場システム。
【請求項６】
前記端末装置は、対応する遊技機の表示装置での演出画像に対応した画像データを予め指定しておいた他の遊技機に対応した端末装置へリアルタイムで送信可能に構成されていることを特徴とする請求項１ないし５の何れかに記載の遊技場システム。
【請求項７】
前記記憶手段は、前記端末装置のそれぞれに内蔵された状態とされると共に、各端末装置内の記憶手段に記憶されている画像データを集中的に管理するデータ管理端末を設け、
前記データ管理端末は、管理対象の画像データのうち指定された画像データをリムーバブルメディアに記憶させることが可能な構成とされていることを特徴とする請求項１ないし６の何れかに記載の遊技場システム。
【請求項８】
前記端末装置は、前記記憶手段に記憶されている画像データ群のうち所望の画像データを電子メールで送信可能に構成されていることを特徴とする請求項１ないし６の何れかに記載の遊技場システム。
【発明の詳細な説明】
【０００１】
【発明の属する技術分野】
本発明は、予め設定された始動条件が遊技中に成立したときに種々の演出を含む画像の表示動作を行う表示装置を備えた遊技機を含んで構築される遊技場システムに関する。
【０００２】
【従来の技術】
最近のパチンコ遊技機にあっては、盤面の中央にカラー表示可能なグラフィックディスプレイより成る表示装置を設けると共に、この表示装置において種々の演出を含む動画像を再生する構成とし、以て遊技に対する興趣の向上を図ることが行われている。例えば、スタート入賞口への入賞に応じて抽選動作を行うと共に、その抽選結果を表示するために表示装置で図柄（数字、文字、アニメキャラクタなど）の変動表示を行うようにしたパチンコ遊技機においては、リーチ状態（あと一つの図柄が揃えば大当たりが発生する状態）となったときに、種々のキャラクタや背景画像などを利用して多彩な演出が施されたリーチアクション画像を表示することが行われている。このようなリーチアクション画像は、遊技者を楽しませるために多種類用意されるものであり、また、このリーチアクション画像の他に、リーチ予告画像や再抽選画像などの表示動作も随時行う構成となっており、このような画像に対しても多彩な演出を行うようにしている。
【０００３】
このようにパチンコ遊技機１の表示装置での表示画像が多様化するのに伴い、近年では、遊技者の間において自身の遊技時において表示装置に表示された画像（リーチアクション画像など）を、後でじっくり見てみたいという要求が高まっている。特に、最近では、出現確率が非常に低くてめったに見られない演出が施されたプレミアムリーチアクション画像や、希少なプレミアムキャラクタが出現する画像が存在するものであり、このような画像の表示が行われた場合に、これを再度見てみたいという要求が一段と高くなるという事情がある。従来では、この種の要求に対処可能とするために、表示装置での表示パターンを記憶し、その後に所定の再生タイミングになったとき或いは遊技者などによる再生指令がなされたときに、記憶した表示パターンを上記表示装置で再生する構成としたパチンコ遊技機が提供されている（例えば、文献１参照）。
【０００４】
【特許文献１】
特開２０００−１４８７６号公報
【０００５】
【発明が解決しようとする課題】
上記従来の手段では、記憶した画像パターンをパチンコ遊技機に設けられた表示装置においてのみ再生可能な構成となっている。このため、基本的には、再生された画像を当該パチンコ遊技機での遊技者しか見ることができない。このため、例えば、友人と連れ立って来場した複数の遊技者が、遊技中の遊技機においてプレミアムリーチアクション画像のような希少な画像が発生した場合に、それを他のパチンコ遊技機で遊技中の友人に見せて感動や好奇心を共有するといったシステム形態は全く想定されておらず、システム形態に対する魅力が薄いという問題点があった。
【０００６】
本発明は上記事情に鑑みてなされたものであり、その目的は、遊技者側にとって魅力あるシステム形態を展開可能になって、遊技に対する興趣の向上及びこれに伴う集客率向上を図り得るようになる遊技場システムを提供することにある。
【課題を解決するための手段】
請求項１記載の発明は、上記目的を達成するために、予め設定された始動条件が遊技中に成立する毎に種々の演出を含む複数パターンの演出画像のうちの何れかを選択して表示する表示装置を備えた遊技機と、前記表示装置で表示された演出画像を画像データとして記憶保存する記憶手段と、前記遊技機と１対１で対応して設置され前記記憶手段に記憶された画像データによる演出画像を表示可能な表示手段を備えた端末装置とを含んで構成した上で、前記端末装置を、前記記憶手段に記憶された画像データを他の端末装置へ送信可能な構成としたものである。
【０００７】
この構成によれば、遊技機においては、その表示装置に対して、予め設定された始動条件が遊技中に成立する毎に種々の演出を含む演出画像を表示するようになる。このように表示された演出画像は、記憶手段に画像データとして記憶保存されるようになり、この記憶画像データは、遊技機と１対１で対応された端末装置において表示できると共に、他の端末装置へ送信することができる。従って、特定の遊技機で表示された演出画像を複数の端末装置の表示手段において表示可能になる。換言すれば、記憶手段に記憶された画像データは、どの端末装置においても自身の表示手段を通じて再生可能となる。このため、例えば、友人と連れ立って来場した複数の遊技者が、遊技中の遊技機において希少な画像が発生した場合に、それを他の遊技機で遊技中の友人に見せて感動や好奇心を共有するといった魅力的なシステム形態も展開可能となる。このような展開を行うことにより、遊技に対する興趣の向上ひいては遊技場の集客率の向上に対する寄与を十分に期待できるようになる。また、遊技機で遊技中の遊技者は、自身の遊技に応じて出現した演出画像を、端末装置を通じて何度でも見ることが可能になるから、この面からも遊技に対する興趣の向上を図り得るようになる。
【０００８】
請求項２記載の発明のように、前記遊技機を、所定の抽選条件の成立により抽選動作を行うと共に、その抽選結果が大当たりであったときに遊技者側に有利な特定遊技状態を呈する構成とした上で、当該遊技機における前記始動条件として前記抽選動作の結果が前記大当たりである可能性が高いことを示すリーチ状態の発生を設定すると共に、このリーチ状態が発生したときの演出画像として多種類のリーチアクション画像を用意する構成としても良い。
【０００９】
この構成によれば、遊技機の表示装置には、リーチ状態が発生する毎にリーチアクション画像が再生されることになり、記憶手段にはそのリーチアクション画像に対応した画像データが記憶されることになる。従って、その画像データを他の端末装置へ送信すれば、特定の遊技機で表示されたリーチアクション画像を複数の端末装置の表示手段において表示可能になり、遊技に対する興趣の向上を期待できるようになる。
【００１０】
請求項３記載の発明のように、前記端末装置を、対応する遊技機において前記リーチ状態から大当たりが発生したときに、そのリーチ状態の発生に伴い前記記憶手段に記憶されたリーチアクション画像データを前記表示手段で自動的に再生する構成としても良い。
【００１１】
この構成によれば、遊技機で大当たり状態が発生した場合には、当該大当たりのきっかけとなったリーチアクション画像が、その遊技機と１対１で対応するように設置された端末装置の表示手段において自動的に再生されるようになる。このため、遊技者は、大当たり発生時の興奮をその発生直後に再度体現できるようになり、結果的に遊技に対する興趣の向上を図り得るようになる。
【００１２】
この場合、請求項４記載の発明のように、前記リーチアクション画像データの自動再生時において、当該リーチアクション画像データを、予め指定しておいた他の遊技機に対応した端末装置へ自動的に送信して当該端末装置の表示手段で再生させる構成とすることもできる。
【００１３】
この構成によれば、遊技者側で、その友人・知人が遊技中の遊技機が判明している場合には、当該遊技機に対応した端末装置の表示手段において自身が大当たりを発生させたときのリーチアクション画像を自動的に再生させることができる。このため、友人・知人のグループで遊技場を訪れた場合に、それぞれの遊技場所が離れている場合でも、大当たりが発生したという情報やそのときのリーチアクション画像を互いに交換できるようになり、結果的に遊技に対する興趣を向上させ得るようになる。
【００１４】
請求項５記載の発明のように、前記端末装置を、予め指定しておいた他の遊技機の表示装置で表示されている演出画像をリアルタイムで取り込んで前記表示手段に表示する構成としても良い。
【００１５】
この構成によれば、遊技者は、自身が興味を持っている他の遊技機での遊技状況（表示装置での演出画像）をリアルタイムで把握できるようになり、遊技場内での遊技の多様性を向上でき、ひいては遊技に対する興趣の向上を実現できるようになる。
【００１６】
請求項６記載の発明のように、前記端末装置を、対応する遊技機の表示装置での演出画像に対応した画像データを予め指定しておいた他の遊技機に対応した端末装置へリアルタイムで送信可能な構成とすることもできる。
【００１７】
この構成によれば、友人・知人のグループで遊技場を訪れた場合に、それぞれの遊技場所が離れている場合でも、自身が遊技中の遊技機での表示画像を、友人・知人が遊技中の他の遊技機に対応した端末装置に備えられた表示手段に対しリアルタイムで表示させ得るようになる。このため、友人・知人が離れた場所で遊技している場合でも、その友人・知人があたかも隣で遊技しているような感覚を得ることができるようになり、以て遊技に対する興趣の向上並びに集客率の向上に寄与可能となる。
【００１８】
請求項７記載の発明のように、前記記憶手段を、前記端末装置のそれぞれに内蔵された状態とすると共に、各端末装置内の記憶手段に記憶されている画像データを集中的に管理するデータ管理端末を設け、そのデータ管理端末を、管理対象の画像データのうち指定された画像データをリムーバブルメディアに記憶させることが可能な構成としても良い。
【００１９】
この構成によれば、遊技者は、任意の演出画像に対応した画像データをリムーバブルメディアに記憶させて持ち帰ることができるから、その演出画像を遊技場以外の場所で何時でも楽しめることになる。
【００２０】
請求項８記載の発明のように、前記記憶手段に記憶されている画像データ群のうち所望の画像データを電子メールで送信可能に構成しても良い。
この構成によれば、遊技者は、記憶手段に記憶されている画像データ群、つまり自身の遊技に応じて遊技機の表示装置に表示された演出画像に対応した画像データ群の中から選んだ所望の画像データを、遊技場へ来ていない第三者或いは自身が所持する通信端末（パソコン、ＰＤＡ、携帯電話機など）へ送信できるから、遊技場での遊技の楽しみ方が多様化することになる。
【００２１】
【発明の実施の形態】
以下、本発明による遊技場システムをパチンコ遊技機が設置された遊技場（パチンコホール）に適用した一実施例について図面を参照しながら説明する。
尚、本実施例は、事前に会員登録された遊技者に対して固有のＩＤ情報を記録した会員カードを発行することにより、会員についての遊技データの蓄積や貯玉などのデータ管理を行い得るシステムを採用した遊技場を対象としている。
【００２２】
図１には、遊技場システムの全体構成が概略的に示されている。この図１において、遊技場内に多数台ずつ設置されたパチンコ遊技機１及び台間玉貸機２（端末装置に相当）は、互いの間で信号の授受を行い得るように構成されている。また、パチンコ遊技機１及び台間玉貸機２は、それぞれに対応して設けられた入出力装置３を介して店内ＬＡＮ４と接続されている。この店内ＬＡＮ４には、島端に設置された島端専用端末５（データ管理端末に相当）、管理事務所内に設置されたホストコンピュータ６が接続されていると共に、図示しないが、景品交換カウンタに設置されたＰＯＳ端末及び島端に設置されたパチンコ玉計数機などが接続されている。
【００２３】
パチンコ遊技機１は、その上皿７内のパチンコ玉を電動式の玉発射機構（操作ダイヤルのみ符号８を付して示す）により盤面９へ発射する構成のものである。盤面９には、グラフィック表示可能なカラー液晶ディスプレイより成る表示装置１０が設けられていると共に、具体的に図示しないが、周知のアウト口、スタート入賞口、通常入賞口、大当たり用入賞口などが設けられている。
【００２４】
このパチンコ遊技機１は、一般的にデジパチと呼ばれるジャンルのもので、スタート入賞口への入賞（本発明でいう始動条件、抽選条件に相当）に応じて抽選動作を行い、これに連動して表示装置１０において抽選結果を表示するための演出画像の表示動作を行う構成となっており、抽選結果が大当たりとなったときには、大当たり用入賞口を有効化することにより入賞率を極端に高めた特賞状態を呈する。上記表示装置１０での画像表示動作は、基本的には、数字、文字、アニメキャラクタなどの図柄列を変動表示すると共に、その変動表示終了時に当該図柄列を抽選結果に応じた組合せとするものであり、抽選結果が大当たりであった場合には、図柄列が揃った状態となるように制御される。
【００２５】
この場合、周知のように、上記画像表示動作時に表示される演出画像としては、図柄列の変動表示を開始する際に行われるリーチ予告アクション画像、リーチ状態が発生したときに行われるリーチアクション（ノーマルリーチアクション、種々の高期待度リーチアクション）画像、大当たり確定後に行われる再抽選アクション画像などが用意されるものであり、このような演出画像の表示は、種々のキャラクタや背景画像などを利用して実施される構成となっている。尚、本実施例のパチンコ遊技機１においては、出現確率が極めて低い状態（例えば何万分の一の確率）のプレミアムリーチアクション画像による表示動作を行い得る構成となっている。
【００２６】
パチンコ遊技機１からは、周知のアウト玉数信号、セーフ玉数信号、スタート信号、特賞信号（大当たりが確率変動状態であった場合の確変信号を含む概念である）などが出力されると共に、リーチ状態となったことを示すリーチ信号、表示装置１０に表示中の画像に対応した画像データ信号が入出力装置３へ出力される構成となっている。そして、台間玉貸機２には、パチンコ遊技機１からの出力信号のうち、特賞信号、リーチ信号、画像データ信号が直接的に与えられる。また、これら特賞信号、リーチ信号、画像データ信号は、入出力装置３及び車内ＬＡＮ４を介して島端専用端末５にも与えられる。さらに、ホストコンピュータ６には、パチンコ遊技機１からの出力信号のうち、アウト玉数信号、セーフ玉数信号、スタート信号、特賞信号などが入出力装置３及び車内ＬＡＮ４を介して与えられる。尚、これらの信号は、ホストコンピュータ６において遊技データ管理用信号として使用される。
【００２７】
台間玉貸機２は、図示しないプリペイドカードが挿入された状態で当該プリペイドカードに記憶された残高金額データの範囲内でパチンコ玉を放出（返却）するＣＲ機（カードリーダ機）としての機能、並びに図示しない会員カードがセットされた状態で当該会員カードに対応した貯玉口座に貯玉の残高がある場合に、その貯玉残高の範囲内でパチンコ玉を引き落として返却するという再プレイ機としての機能を備えたものである。尚、台間玉貸機２からの放出パチンコ玉は、パチンコ遊技機１の上皿７へ供給されるようになっている。
【００２８】
また、台間玉貸機２には、グラフィック表示可能なカラー液晶ディスプレイより成る表示パネル１１（表示手段に相当）が斜め前方側（手前側）へ突出した状態で設けられており、この表示パネル１１の画像表示面には複数のスイッチ要素をレイアウト可能なマトリクス型に構成された透明状タッチパネルスイッチにより成る操作部（図２に符号１２を付して示す）が設けられている。
【００２９】
この台間玉貸機２から入出力装置３には、プリペイドカードによる売上（遊技者側から見た場合には投資金額）を示す売上信号、貯玉の返却数を示す再プレイ玉数信号などが出力されるものであり、それらの信号はホストコンピュータ６に売上データ管理用信号として与えられる。
【００３０】
島端専用端末５は、同一の島に属する各台間玉貸機２内の記憶装置２８に記憶されている画像データを集中的に管理するために設けられたもので、その内部には、パチンコ遊技機１の表示装置１０で表示された画像データを記憶して蓄積するための記憶装置、その記憶画像データをＣＤ−ＲやＤＶＤＲＡＭなどのリムーバブルメディアにデータを書き込むためのドライバなど（何れも図示せず）が設けられている。また、島端専用端末５は、グラフィック表示可能なカラー液晶ディスプレイ或いはカラーＣＲＴディスプレイより成る表示器１３及び当該表示器１３の画像表示面に形成された透明状タッチパネルスイッチ（図示せず）が設けられており、このタッチパネルスイッチを通じて種々の操作を行い得る構成となっている。尚、島端専用端末５の前面には、上記リムーバブルメディアをセットするためのメディア挿入口１４及び会員カードからデータを読み取るためのカードリーダ用挿入口（図示せず）が設けられている。
【００３１】
ホストコンピュータ６は、パチンコ遊技機１及び台間玉貸機２から出力される各種の信号（アウト玉数信号、セーフ玉数信号、スタート信号、特賞信号、売上信号、再プレイ玉数信号など）に基づいて、各パチンコ遊技機１及び台間玉貸機２毎の管理データ（アウト数、セーフ数、差玉数、打止回数、特賞回数、特賞発生確率、スタート回数、出玉率、売上金額、割数など）を収集し、そのデータをデータベースに蓄積する構成となっている。また、ホストコンピュータ６は、会員が、パチンコ遊技機１での遊技をこれに対応した台間玉貸機２に会員カードをセットした状態で行った場合に、その状態でパチンコ遊技機１及び台間玉貸機２から出力される上記各種の信号に基づいて、会員となっている遊技者毎の個人遊技データ（遊技時間、特賞回数、投資金額、収支金額など）を収集し、そのデータをデータベースに蓄積する構成となっている。
【００３２】
図２には、パチンコ遊技機１及び台間玉貸機２の電気的構成のうち、本発明の要旨に関係した部分が機能ブロックの組合せにより示されている。この図２において、パチンコ遊技機１には、ＣＰＵ、ＲＯＭ、ＲＡＭ、クロック回路を備えた制御部１５が設けられており、この制御部１５により前述した抽選動作、表示装置１０による画像表示動作、表示装置１０に表示中の画像に対応した画像データ信号や特賞信号などの出力動作を制御する構成となっている。
【００３３】
この場合、制御部１５は、表示装置１０による画像表示動作をドライバ１６を通じて行うようになっている。また、制御部１５は、画像データ信号をドライバ１６及び映像出力端子１７を通じて出力すると共に、リーチ信号及び特賞信号をドライバ１６及びリーチ・特賞信号出力端子１８を通じて出力するようになっており、それらの信号は、台間玉貸機２側に設けられた映像入力端子２１及びリーチ・特賞信号入力端子２２に与えられる。さらに、制御部１５は、アウト玉数信号、セーフ玉数信号、スタート信号、特賞信号などの遊技データ管理用信号を、入出力インタフェース１９及びＬＡＮ端子２０を通じてホストコンピュータ６へ出力する構成となっている。
【００３４】
台間玉貸機２にも、ＣＰＵ、ＲＯＭ、ＲＡＭ、クロック回路を備えた制御部２３が設けられている。この制御部２３には、上記映像入力端子２１に与えられた画像データ信号、リーチ・特賞信号入力端子２２に与えられたリーチ信号及び特賞信号が入力インタフェース２４を通じて入力される。また、制御部２３には、操作部１２からの操作信号が入力インタフェース２４を通じて入力されると共に、他の機器（パチンコ遊技機１、台間玉貸機２）からの画像データがＬＡＮ端子２５及び入出力インタフェース２６を通じて入力される。制御部２３は、内蔵カードリーダ２７からの読取信号の受信及びそのカードリーダ２７の動作制御を入出力インタフェース２６を通じて行うと共に、内蔵記憶装置２８（記憶手段に相当）との間のデータの授受を入出力インタフェース２６を通じて行う構成となっている。さらに、制御部２３は、表示パネル１１での表示動作をドライバ２９を通じて制御する構成となっている。
【００３５】
図３には、台間玉貸機２内の制御部２３による制御内容のうち、パチンコ遊技機１側から与えられるリーチ信号、特賞信号、画像データ信号の処理に関連した部分が示されており、以下これについて説明する。
即ち、制御部２３は、リーチ信号を受信するまで待機し（ステップＳ１）、受信したときには、パチンコ遊技機１から送られてくる画像データ信号を記憶装置２８に順次保存する（ステップＳ２）。尚、記憶装置２８中に、ステップＳ２において保存しようとする画像データ信号と同一のものが既に存在する場合には、そのステップＳ２での保存動作をキャンセルする構成とすることが望ましい。また、記憶装置２８に記憶された画像データ信号は、所定のタイミング（例えば遊技場の営業開始時点）で初期化される構成となっている。
【００３６】
この後には、特賞信号を受信したか否かを判断し（ステップＳ３）、非受信状態ではステップＳ１へ戻る。また、特賞信号を受信したときには、データ処理ルーチンＳ４へ移行する。このデータ処理ルーチンＳ４では、現在受信中の画像データ信号の保存が完結した後に当該画像データ信号を表示パネル１１で再生する動作、その画像データ並びに記憶装置２８に記憶されている他の画像データを島端専用端末５へ店内ＬＡＮ４を通じて送信する動作を行う。
【００３７】
従って、リーチ信号の受信後には、リーチ状態の発生に伴いパチンコ遊技機１の表示装置１０に表示されるリーチアクション画像に対応した画像データが記憶装置２８に順次保存されることになる。また、特賞信号を受信したとき、つまりパチンコ遊技機１において大当たりが発生したときには、その大当たり直前のリーチアクション画像が表示パネル１１において自動的に再生されると共に、当該リーチアクション画像に対応した画像データ並びにそれまでの間に表示装置１０で表示された画像に対応した画像データが島端専用端末５へ送信されることになる。
【００３８】
制御部２３は、上述したようなリーチアクション画像の自動再生制御の他に、以下に述べるような制御を行う構成となっており、以下、この制御内容並びに関連部分の作用について表示パネル１１での表示画面例を示す図４を参照しながら説明する。
（１）初期画面
初期状態では、表示パネル１１に対し図４（ａ）に示す初期画面を表示する。この初期画面には、「台データ」、「リーチアクションデータ」の各文字が付されたアイコンａ１、ａ２が表示される。この表示状態では、各アイコンａ１、ａ２と対応した領域において、操作部１２を構成する図示しない透明状タッチパネルスイッチのスイッチ要素がそれぞれ有効化されるものであり、各スイッチ要素は対応するアイコンａ１、ａ２のタッチ操作に応じてオン状態になる。
【００３９】
（２）台データ表示画面
図４（ａ）の初期画面において「台データ」に対応したアイコンａ１がタッチ操作されたときには、表示パネル１１に対して、対応するパチンコ遊技機１についてのスタート回数、大当たり回数などの履歴を示す台データが表示される（図示せず）。
【００４０】
（３）台指定画面
図４（ａ）の初期画面において「リーチアクションデータ」に対応したアイコンａ２がタッチ操作されたときには、表示パネル１１に対して図４（ｂ）に示すような台指定画面を表示する。この台指定画面は、表示パネル１１に対して、現在遊技中のパチンコ遊技機１についてのリーチアクション画像を表示するのか、或いは他のパチンコ遊技機１についてのリーチアクション画像を表示するのかを選択するための画面であり、「自台」、「指定台」、「戻る」の各文字が付されたアイコンｂ１、ｂ２、ｂ３が表示される。この表示状態では、各アイコンｂ１、ｂ２、ｂ３と対応した領域において、操作部１２を構成する図示しない透明状タッチパネルスイッチのスイッチ要素がそれぞれ有効化されるものであり、各スイッチ要素は対応するアイコンｂ１、ｂ２、ｂ３のタッチ操作に応じてオン状態になる。尚、この台指定画面において、「戻る」に対応したアイコンｂ３がタッチ操作されたときには、初期画面を表示した状態へ戻る。
【００４１】
（４）「自台」選択時画面
図４（ｂ）の台指定画面において、「自台」に対応したアイコンｂ１がタッチ操作されたときには、表示パネル１１に対して図４（ｃ）に示すような「自台」選択時画面を表示する。この「自台」選択時画面は、表示パネル１１に対して、リーチ履歴についてのデータを表示するのか、或いはリーチアクション画像についての画像データを他のパチンコ遊技機１に対応した台間玉貸機２へ送信するのかを選択するための画面であり、「自台」のタイトルｃ１、「リーチ履歴」、「リーチアクションデータ送信」、「戻る」の各文字が付されたアイコンｃ２、ｃ３、ｃ４が表示される。この表示状態では、各アイコンｃ２、ｃ３、ｃ４と対応した領域において、操作部１２を構成する図示しない透明状タッチパネルスイッチのスイッチ要素がそれぞれ有効化されるものであり、各スイッチ要素は対応するアイコンｃ２、ｃ３、ｃ４のタッチ操作に応じてオン状態になる。尚、この台指定画面において、「戻る」に対応したアイコンｃ４がタッチ操作されたときには、台指定画面を表示した状態へ戻る。
【００４２】
（５）リーチ履歴選択画面
図４（ｃ）の「自台」選択時画面において「リーチ履歴」に対応したアイコンｃ２がタッチ操作されたときには、表示パネル１１に対して図４（ｄ）に示すようなリーチ履歴選択画面を表示する。このリーチ履歴選択画面は、記憶装置２８に記憶した画像データを選択するための画面であり、画像データの通し番号、その保存時刻、大当たりの発生の有無を示す情報（「確変」若しくは「特賞」の文字）を含むデータ列を複数行並べたデータテーブルｄ１、そのデータテーブルｄ１のための上スクロールボタン、下スクロールボタンに対応したアイコンｄ２、ｄ３、「ＯＫ」、「戻る」の各文字が付されたアイコンｄ４、ｄ５が表示される。この表示状態では、データテーブルｄ１の各データ列に対応した領域並びに各アイコンｄ２、ｄ３、ｄ４、ｄ５と対応した領域において、操作部１２を構成する図示しない透明状タッチパネルスイッチのスイッチ要素がそれぞれ有効化されるものであり、各スイッチ要素は対応するデータ列及びアイコンｄ２、ｄ３、ｄ４、ｄ５のタッチ操作に応じてオン状態になる。尚、このリーチ履歴選択画面において、「戻る」に対応したアイコンｄ５がタッチ操作されたときには、「自台」選択時画面を表示した状態へ戻る。また、リーチ履歴選択画面において、上スクロールボタン、下スクロールボタンに対応したアイコンｄ２、ｄ３がタッチ操作された各状態では、データテーブルｄ１の上スクロール及び下スクロールがそれぞれ行われる。
【００４３】
さらに、リーチ履歴選択画面において、データテーブルｄ１におけるデータ列の一つがタッチ操作されたときには、当該データ列の背景が反転表示状態（或いは他の色での表示状態）に切換えられて画像データの選択状態になると共に、この選択状態から「ＯＫ」に対応したアイコンｄ４がタッチ操作されたときには、図４（ｅ）のようなコマンド選択用ポップアップ画面が表示される。
【００４４】
（６）コマンド選択用ポップアップ画面
図４（ｅ）のコマンド選択用ポップアップ画面には、「映像再生」、「メール送信」、「映像保存」、「キャンセル」の各文字が付されたアイコンｅ１、ｅ２、ｅ３、ｅ４が表示される。この表示状態では、各アイコンｅ１、ｅ２、ｅ３、ｅ４と対応した領域において、操作部１２を構成する図示しない透明状タッチパネルスイッチのスイッチ要素がそれぞれ有効化されるものであり、各スイッチ要素は対応するアイコンｅ１、ｅ２、ｅ３、ｅ４のタッチ操作に応じてオン状態になる。尚、このコマンド選択用ポップアップ画面において、「キャンセル」に対応したアイコンｅ４がタッチ操作されたときには、その画面のポップアップ状態が解消されてリーチ履歴選択画面を表示した状態へ戻る。
【００４５】
コマンド選択用ポップアップ画面において、「映像再生」に対応したアイコンｅ１がタッチ操作されたときには、リーチ履歴選択画面で選択された画像データによるリーチアクション画像が表示パネル１１に再生される。
【００４６】
コマンド選択用ポップアップ画面において、「メール送信」に対応したアイコンｅ２がタッチ操作されたときには、カードリーダ２７にセットされている会員カードのＩＤ情報と対応付けた状態で予め登録されているメールアドレスへ向けて電子メールを送信する動作を行う。このメール送信時には、リーチ履歴選択画面で選択された画像データが添付ファイルとして同時に送信される。
【００４７】
コマンド選択用ポップアップ画面において、「映像保存」に対応したアイコンｅ３がタッチ操作されたときには、リーチ履歴選択画面で選択された画像データを、カードリーダ２７にセットされている会員カードのＩＤ情報と対応付けた状態で島端専用端末５へ送信するものである。
【００４８】
この場合、島端専用端末５では、受信したＩＤ情報及び画像データを会員データとして記憶する動作を行うようになっている。また、島端専用端末５は、図示しないカードリーダ用挿入口に会員カードが挿入された状態では、上記会員データ中から当該会員カードのＩＤ情報と対応した画像データを読み出し、その読み出し画像データをメディア挿入口１４に挿入されたリムーバブルメディアに書き込む動作を行う構成となっている。
【００４９】
（７）データ送信先選択用ポップアップ画面
図４（ｃ）の「自台」選択時画面において「リーチアクションデータ送信」に対応したアイコンｃ３がタッチ操作されたときには、表示パネル１１に対して図４（ｆ）に示すようなデータ送信先選択用ポップアップ画面を表示する。このポップアップ画面は、対応するパチンコ遊技機１から与えられたリーチアクション画像データの送信先（他の台間玉貸機２）を指定するための画面であり、「指定台番」のタイトルｆ１、テンキースイッチに対応したアイコンｆ２、「ＯＫ」、「キャンセル」の各文字が付されたアイコンｆ３、ｆ４、上記テンキースイッチにより入力された数字（台番号）を表示するための入力ボックスｆ５が表示される。この表示状態では、各アイコンｆ２、ｆ３、ｆ４と対応した領域において、操作部１２を構成する図示しない透明状タッチパネルスイッチのスイッチ要素がそれぞれ有効化されるものであり、各スイッチ要素は対応するアイコンｆ２、ｆ３、ｆ４のタッチ操作に応じてオン状態になる。尚、このデータ送信先選択用ポップアップ画面において、「キャンセル」に対応したアイコンｆ４がタッチ操作されたときには、その画面のポップアップ状態が解消されて「自台」選択時画面を表示した状態へ戻る。
【００５０】
データ送信先選択用ポップアップ画面においては、アイコンｆ２のタッチ操作に応じて入力ボックスｆ５に任意の台番号に対応した数字を入力できるものであり、その台番号入力状態で「ＯＫ」に対応したアイコンｆ３がタッチ操作されたときには、画像データ送信モードに切換えられる。このように画像データ送信モードに切換わった状態では、自身に対応したパチンコ遊技機１からリーチアクション画像データが与えられる毎に、その画像データを入力された台番号のパチンコ遊技機１に対応した台間玉貸機２へリアルタイムで送信する動作を行うものである。
【００５１】
尚、このリーチアクション画像データを受信した台間玉貸機２にあっては、所定の禁止条件（例えば、図３で示したデータ処理ルーチンを実行中の状態、つまり、自身の表示パネル１１に対して大当たり直前のリーチアクション画像を自動的に再生している状態）が成立していないことを前提として割り込みがかけられて、受信したリーチアクション画像データを自身の表示パネル１１で再生する動作を実行する。また、上記画像データ送信モードのキャンセルは、データ送信先選択用ポップアップ画面において「キャンセル」に対応したアイコンｆ４をタッチ操作することにより行うことができる。
【００５２】
（８）データ受信先選択用ポップアップ画面
図４（ｂ）の台指定画面において「指定台」に対応したアイコンｂ２がタッチ操作されたときには、表示パネル１１に対して図４（ｇ）に示すようなデータ受信先選択用ポップアップ画面を表示する。このポップアップ画面は、他のパチンコ遊技機１でのリーチアクション画像データ及びリーチ履歴データをリアルタイムで取り込む場合に、その画像データ取り込み先のパチンコ遊技機１の台番号を指定するための画面であり、「指定台番」のタイトルｇ１、テンキースイッチに対応したアイコンｇ２、「ＯＫ」、「キャンセル」の各文字が付されたアイコンｇ３、ｇ４、上記テンキースイッチにより入力された数字（台番号）を表示するための入力ボックスｇ５が表示される。この表示状態では、各アイコンｇ２、ｇ３、ｇ４と対応した領域において、操作部１２を構成する図示しない透明状タッチパネルスイッチのスイッチ要素がそれぞれ有効化されるものであり、各スイッチ要素は対応するアイコンｇ２、ｇ３、ｇ４のタッチ操作に応じてオン状態になる。尚、このデータ受信先選択用ポップアップ画面において、「キャンセル」に対応したアイコンｇ３がタッチ操作されたときには、その画面のポップアップ状態が解消されて台指定画面を表示した状態へ戻る。
【００５３】
データ受信先選択用ポップアップ画面においては、アイコンｇ２のタッチ操作に応じて入力ボックスｇ５に任意の台番号に対応した数字を入力できるものであり、その台番号入力状態で「ＯＫ」に対応したアイコンｇ４がタッチ操作されたときには、表示パネル１１に対して図４（ｈ）に示すようなデータ種類選択画面を表示する。
【００５４】
（９）データ種類選択画面
図４（ｈ）のデータ種類選択画面は、データ受信先選択用ポップアップ画面で選択された台番号のパチンコ遊技機１についてのリーチ履歴データ及びリーチアクション画像データの何れを取り込むかを指定するための画面であり、選択中の台番号ｈ１、「リーチ履歴」、「リーチアクションデータ受信」、「戻る」の各文字が付されたアイコンｈ２、ｈ３、ｈ４が表示される。この表示状態では、各アイコンｈ２、ｈ３、ｈ４と対応した領域において、操作部１２を構成する図示しない透明状タッチパネルスイッチのスイッチ要素がそれぞれ有効化されるものであり、各スイッチ要素は対応するアイコンｈ２、ｈ３、ｈ４のタッチ操作に応じてオン状態になる。尚、この台指定画面において、「戻る」に対応したアイコンｈ４がタッチ操作されたときには、データ受信先選択用ポップアップ画面を表示した状態へ戻る。
【００５５】
データ種類選択画面において、「リーチ履歴」に対応したアイコンｈ２がタッチ操作されたときには、選択中の台番号に対応したパチンコ遊技機１についての遊技履歴データをホストコンピュータ６から受信し、その受信データを自身の表示パネル１１に表示する。
【００５６】
また、データ種類選択画面において、「リーチアクションデータ受信」に対応したアイコンｈ３がタッチ操作されたときには、画像データ受信モードに切換えられる。このように画像データ受信モードに切換わった状態では、選択中の台番号に対応したパチンコ遊技機１においてリーチ状態が発生する毎に、そのときのリーチアクション画像データをリアルタイムで受信し、その受信データを自身の表示パネル１１に表示する。尚、上記画像データ受信モードのキャンセルは、データ受信先選択用ポップアップ画面において「キャンセル」に対応したアイコンｇ４をタッチ操作することにより行うことができる。
【００５７】
要するに、上記した本実施例の構成によれば、以下に述べるような作用・効果を奏するものである。
即ち、パチンコ遊技機１においては、スタート入賞口への入賞がある毎に種々の演出を含む演出画像を表示装置１０に表示するようになる。特に、スタート入賞口への入賞に応じてリーチ状態が発生したときには、大当たりへの期待度を高めるためのリーチアクション画像を表示するものであり、このようなリーチアクション画像のための画像データは、台間玉貸機２の記憶装置２８に記憶保存されるようになる。そして、このように記憶されたリーチアクション画像データは、台間玉貸機２の表示パネル１１において任意のタイミングで表示できる（実際には、図４（ｄ）のリーチ履歴選択画面上で画像データを選択し、その選択後に図４（ｅ）のコマンド選択用ポップアップ画面で「映像再生」のアイコンｅ１をタッチ操作することにより表示できる）。
【００５８】
このため、パチンコ遊技機１での遊技者は、その遊技を終了した後であっても、遊技期間中において表示装置１０で再生されたリーチアクション画像を台間玉貸機２の表示パネル１１を通じて何度でも見ることが可能になる。従って、遊技機での遊技中に、その表示装置１０において出現確率が低いプレミアムリーチアクション画像の表示が行われた場合にこれを再度見てみたいという遊技者側の要求を満たすことが可能となる。これにより、遊技に対する興趣の向上ひいては遊技場の集客率の向上に対する寄与を十分に期待できるようになる。また、実際に発生したリーチアクション画像の確認を後から行い得るから、遊技場において、予め指定したリーチアクション画像を経て大当たりになった場合に、遊技に対して特典を与えるという所謂ラッキーリーチイベントを円滑に実施可能となり、遊技客に対するサービスの多様化を実現できるようになる。
【００５９】
パチンコ遊技機１の表示装置１０にリーチアクション画像が表示された状態から当該パチンコ遊技機１において大当たりが発生したときには、当該大当たりのきっかけとなったリーチアクション画像が、隣接した台間玉貸機２の表示パネル１１において自動的に再生されるようになる。このため、遊技者は、大当たり発生時の興奮をその発生直後に再度体現できるようになり、結果的に遊技に対する興趣の向上を図り得るようになる。
【００６０】
この場合、記憶装置２８に記憶されたリーチアクション画像は、他の台間玉貸機２へ送信することができる。従って、特定のパチンコ遊技機１で表示されたリーチアクション画像を複数の台間玉貸機２の表示パネル１１においても表示可能になる。具体的には、台間玉貸機２にあっては、対応するパチンコ遊技機１の表示装置１０でのリーチアクション画像に対応した画像データを予め指定しておいた他のパチンコ遊技機１に対応した台間玉貸機２へリアルタイムで送信可能な構成となっている。
【００６１】
このため、例えば、友人・知人と連れ立って来場した複数の遊技者が、遊技中のパチンコ遊技機１においてプレミアムリーチアクション画像が発生した場合に、それを他のパチンコ遊技機１で遊技中の友人などに見せて感動や好奇心を共有するといった魅力的なシステム形態も展開可能となる。このような展開を行うことにより、遊技に対する興趣の向上ひいては遊技場の集客率の向上に対する寄与を十分に期待できるようになる。また、グループで遊技場を訪れた友人・知人のそれぞれの遊技場所が離れている場合でも、自身が遊技中のパチンコ遊技機１での表示画像を、友人・知人が遊技中の他のパチンコ遊技機１に対応した台間玉貸機２の表示パネル１１に対しリアルタイムで表示させ得るようになる。このため、友人・知人が離れた場所で遊技している場合でも、その友人・知人があたかも隣で遊技しているような感覚を得ることができるようになり、以て遊技に対する興趣の向上並びに集客率の向上に寄与可能となる。
【００６２】
台間玉貸機２にあっては、その表示パネル１１に対して、予め台番号を指定しておいた他のパチンコ遊技機１の表示装置１０で表示されている演出画像をリアルタイムで取り込んで表示させる動作が可能となっているから、遊技者は、自身が興味を持っている他の遊技機パチンコ遊技機１での遊技状況（表示装置１０での演出画像）をリアルタイムで把握できるようになる。このため、遊技場内での遊技の多様性を向上でき、この面からも遊技に対する興趣の向上を実現できるようになる。
【００６３】
台間玉貸機２の記憶装置２８に記憶されている画像データ群のうち所望の画像データを、予め登録されているメールアドレスへ向けて電子メールにより送信可能な構成となっているから、遊技者は、自身の遊技に応じてパチンコ遊技機１の表示装置１０に表示されたリーチアクション画像に対応した画像データ群の中から選んだ所望の画像データを、遊技場へ来ていない第三者或いは自身が所持する通信端末（パソコン、ＰＤＡ、携帯電話機など）へ送信できるから、遊技場での遊技の楽しみ方が多様化することになる。
【００６４】
台間玉貸機２においては、リーチ履歴選択画面で選択した画像データを、カードリーダ２７にセットされている会員カードのＩＤ情報と対応付けた状態で島端専用端末５へ送信するようになっている。また、その島端専用端末５では、受信したＩＤ情報及び画像データを会員データとして記憶すると共に、図示しないカードリーダ用挿入口に会員カードが挿入された状態では、上述のように記憶した会員データ中から当該会員カードのＩＤ情報と対応した画像データを読み出し、その読み出し画像データをメディア挿入口１４に挿入されたリムーバブルメディアに書き込む動作を行う構成となっている。このため、遊技者は、任意の演出画像（例えばプレミアムリーチアクション画像）に対応した画像データをリムーバブルメディアに記憶させて持ち帰ることができるものであり、従って、任意の演出画像を遊技場以外の場所で何時でも楽しめることになる。
【００６５】
尚、本発明は上記し且つ図面に示した実施例に限定されるものではなく、以下に述べるような変形または拡大が可能である。
台間玉貸機２において、対応するパチンコ遊技機１での大当たり発生に伴いリーチアクション画像データを自動再生したときに、当該リーチアクション画像データを、予め指定しておいた他の遊技機に対応した端末装置へ自動的に送信して当該端末装置の表示手段で再生させる構成とすることもできる。この構成によれば、遊技者側で、その友人・知人が遊技中のパチンコ遊技機１が判明している場合には、当該パチンコ遊技機１に対応した台間玉貸機２の表示パネル１１において自身が大当たりを発生させたときのリーチアクション画像を自動的に再生させることができる。このため、友人・知人のグループで遊技場を訪れた場合に、それぞれの遊技場所が離れている場合でも、大当たりが発生したという情報やそのときのリーチアクション画像を互いに交換できるようになり、結果的に遊技に対する興趣を向上させ得るようになる。
【００６６】
記憶装置２８に記憶保存する画像データとして、リーチアクション画像データを例に挙げたが、リーチ予告画像データ、再抽選画像データを記憶保存する構成としても良い。遊技機の例としてパチンコ遊技機１を挙げたが、スロットマシンを含んだ遊技システムにも適用できる。
【図面の簡単な説明】
【図１】本発明の一実施例を示すシステム全体の概略的構成図
【図２】要部の電気的構成を示す機能ブロック図
【図３】台間玉貸機内の制御部による制御内容を示すフローチャート
【図４】表示パネルでの表示画面例を示す図
【符号の説明】
１はパチンコ遊技機、２は台間玉貸機（端末装置）、４は店内ＬＡＮ、５は島端専用端末（データ管理端末）、６はホストコンピュータ、９は盤面、１０は表示装置、１１は表示パネル（表示手段）、１２は操作部、１３は表示器、１５、２３は制御部、２８は記憶装置を示す。
【図１】
2004236798.tif 000003
【図２】
2004236798.tif 000004
【図３】
2004236798.tif 000005
【図４】
2004236798.tif 000006